(57)【要約】【課題】室内の放射状態から、より快適な室内環境に補正し、より快適な放射環境を得ることが可能な空調システムを提供すること。【解決手段】空調システムに室内を快適な環境にする室内空調手段１１と、室内の床壁や天井面を暖めたり冷やしたりする放射手段１２を設け、室内の環境を設定可能なコントローラ１３と、放射面温度を自動的に決定する放射面温度決定手段２２と、設定環境を補正する室内設定環境補正手段１８、とを備えたことにより、室内を短時間で快適にするとともに快適な放射感を得ることができる。また、室内の放射状態から、より快適な室内環境に補正するとともにより快適な放射環境を自動的につくることができる。【選択図】図１
2007315691.tif 000002
【特許請求の範囲】
【請求項１】
室内の温熱状態および空気の質などを快適な環境にする室内空調手段と、室内の床壁や天井面のうち少なくともひとつ以上の面を放射面として暖めたり冷やしたりする放射手段と、室内環境を設定可能なコントローラと、前記コントローラにより設定された室内環境に基づき放射手段の放射面温度を決定する放射面温度決定手段と、前記放射面温度に到達したとき前記室内空調手段の設定環境を補正する室内設定環境補正手段、とを備えることを特徴とした空調システム。
【請求項２】
室内空調手段は、前記コントローラにより設定された環境に室内環境が到達したとき、運転を停止する、または、気流感が少なくなるよう気流制御することを特徴とした請求項１記載の空調システム。
【請求項３】
放射手段は、放射面に透湿性材料を用いることを特徴とした請求項１または２に記載の空調システム。
【請求項４】
室内の湿度を検出する湿度検出手段と、外気温検出手段と、前記検出手段から検出された湿度や外気温のうち、少なくともひとつ以上から室内設定環境を補正する室内設定環境快適補正手段、とを備えることを特徴とした請求項１〜３のいずれか１項に記載の空調システム。
【発明の詳細な説明】
【技術分野】
【０００１】
本発明は快適な室内環境をつくる空調システムに関するものである。
【背景技術】
【０００２】
従来、この種の放射冷暖房装置は特許文献１に示されるものがある。図５に示すように天井面に熱交換パイプ５１を設置し、熱交換パイプ５１に冷却または加熱した流体を流して天井を冷却または加熱して天井放射により室内空間Ａの冷暖房をおこなうように構成してある。
【０００３】
また、特許文献２に示されるものがある。図６に示すように、小孔６１ａを複数個設けた天井放射パネル６１に、空調機６２から吹き出した冷温風空気により、天井放射パネル６１は冷却または加熱される。また、冷温風空気の一部が小孔６１ａから室内空間Ａへ供給されることにより、室内空間Ａを対流と天井放射パネル６１からの放射の両方で冷暖房を行なうことができる。
【特許文献１】特開平１０−２２７４９５号公報
【特許文献２】特開平６−１７４２６１号公報
【発明の開示】
【発明が解決しようとする課題】
【０００４】
しかしながら、前記従来の特許文献１に示されているように冷媒循環方式の応用で室内空調をおこなっていたが、放射だけでは室内を快適な環境にするには非常に長い時間が必要という課題があった。
【０００５】
また、特許文献２のように対流方式を応用し、対流と放射の両方で冷暖房をおこない快適になるまでの時間の短縮を図るものがあるが、小孔が小さければ充分には時間が短縮されない、また、大きければ時間短縮は可能になるが、天井放射パネルに設けた小孔から吹出す気流が不快となる、という課題を有していた。
【０００６】
本発明は、前記従来の課題を解決するもので、室内を短時間で快適にするとともに快適な放射感を得ることができる。また、室内の放射状態から、より快適な室内環境に補正するとともにより快適な放射環境を自動的につくることができる。すなわち、気流感の少ない放射の快適環境を短時間で得るとともに、より快適な放射環境を使用者がわずらわしい操作をすることなく得ることが可能な空調システムを提供することを目的とする。
【課題を解決するための手段】
【０００７】
前記従来の課題を解決するために、本発明の空調システムは、室内の温熱状態および空気の質などを快適な環境にする室内空調手段と、室内の床壁や天井面のうち少なくともひとつ以上の面を放射面として暖めたり冷やしたりする放射手段を設け、室内環境を設定可能なコントローラと、コントローラにより設定された室内環境に基づき放射手段の放射面温度を決定する放射面温度決定手段と、放射面温度に到達したとき室内空調手段の設定環境を補正する室内設定環境補正手段、とを備えたものである。
【０００８】
これによって、室内を短時間で快適にするとともに快適な放射感を得ることができる。また、室内の放射状態から、より快適な室内環境に補正するとともにより快適な放射環境を自動的につくることができる。
【発明の効果】
【０００９】
本発明の空調システムは、室内を短時間で快適にするとともに快適な放射感を得ることができる。また、室内の放射状態から、より快適な室内環境に補正するとともにより快適な放射環境を自動的につくることができる。すなわち、気流感の少ない放射の快適環境を短時間で得るとともに、より快適な放射環境を使用者がわずらわしい操作をすることなく得ることができる。
【発明を実施するための最良の形態】
【００１０】
第１の発明は室内の温熱状態および空気の質などを快適な環境にする室内空調手段と、室内の床壁や天井面のうち少なくともひとつ以上の面を放射面として暖めたり冷やしたりする放射手段を設け、室内環境を設定可能なコントローラと、コントローラにより設定された室内環境に基づき放射手段の放射面温度を決定する放射面温度決定手段と、放射面温度に到達したとき室内空調手段の設定環境を補正する室内設定環境補正手段、とを備えることにより、室内を短時間で快適にするとともに快適な放射感を得ることができる。また、室内の放射状態から、より快適な室内環境に補正するとともにより快適な放射環境を自動的につくることができる。すなわち、気流感の少ない放射の快適環境を短時間で得るとともに、より快適な放射環境を使用者がわずらわしい操作をすることなく得ることが可能な空調システムを提供することができる。
【００１１】
第２の発明は、特に、第１の発明の室内空調手段を、前記コントローラにより設定された環境に室内環境が到達したとき、運転を停止する、または、気流感が少なくなるよう気流制御することにより、室内を短時間で快適な環境にするとともに、より不快な気流を抑制することができる。また、室内の放射状態から、より快適な室内環境に補正するとともにより快適な放射環境を自動的につくることができる。
すなわち、より気流感の少ないより快適な放射環境を使用者がわずらわしい操作をすることなく得ることができる。
【００１２】
第３の発明は、特に、第１または第２の発明の放射手段を、放射面に透湿性材料を用いることにより、冷房時、放射運転のみでも、室内の湿度を下げることができる。また、室内の放射状態から、より快適な室内環境に補正するとともにより快適な放射環境を自動的につくることができる。すなわち、冷房時、湿度の低いさわやかなさらに快適な放射環境を使用者がわずらわしい操作をすることなく得ることができる。
【００１３】
第４の発明は、特に、第１〜３のいずれか１つの発明の空調システムに室内の湿度を検出する湿度検出手段と、外気温検出手段と、前記検出手段から検出された湿度や外気温のうち、少なくともひとつ以上から室内設定温度を補正する室内設定温度快適補正手段、とを備えることにより、室内を短時間で快適にするとともに快適な放射感を得ることができる。また、室内の放射状態、湿度、外気温から、一層快適な室内温度に補正することができる。また、室内の放射状態から、より快適な室内環境に補正するとともにより快適な放射環境を自動的につくることができる。すなわち、気流感の少ない放射の快適環境を短時間で得るとともに、一層快適な放射環境を使用者がわずらわしい操作をすることなく得ることができる。
【００１４】
以下、本発明の実施の形態について、図面を参照しながら説明する。なお、この実施の形態によって本発明が限定されるものではない。
【００１５】
（実施の形態１）
図１および図２は、本発明の第１の実施の形態における空調システムの斜視図、図３は、室内空調手段および放射手段の気流の経路概略図を示すものである。
【００１６】
図１、図２において、室内空調手段１１は、室内の温熱状態および空気の質などを快適
な環境にするものであり、例えばダクトエアコンなどの空調機である。なお、室内の温熱状態および空気の質などを快適な環境にする空調機であれば壁掛けエアコンなど何ら限定しない。
【００１７】
室内設定温度補正手段１８は、室内空調手段１１の制御用マイコン部の一部であり、放射面が所定の温度に到達したとき室内空調手段１１の設定温度を補正する。なお、例えば室内空調手段１１の室内機である室内空調用室内機１１１や空調システム室外機１４のどちらに組み込まれようが、室内空調手段１１の設定温度を補正するものであれば何ら限定しない。
【００１８】
放射手段１２は、室内の床壁や天井面のうち少なくともひとつ以上の面を暖めたり冷やしたりするものであり、例えばダクトエアコンのように温冷風を吹き出し、天井面を暖めたり冷やしたりするものである。なお、図５に示すように天井面に熱交換パイプ５１を設置し、熱交換パイプ５１に冷却または加熱した流体を流して天井を冷却または加熱して天井放射により室内空間Ａの冷暖房をおこなうような放射可能な手段であれば何ら限定しない。
【００１９】
コントローラ１３は、少なくとも室内環境を設定可能なものであり、例えばコントローラからの赤外線信号などにより、室内空調手段１１および放射手段１２を制御することができる。設定する室内環境は、室内温度や快適度である。快適度は「暖かく、涼しく」などであり、ＰＭＶやＳＥＴ＊など、また、現状よりやや暖かく、やや涼しくなど、使用者の快適度を示すものであれば何ら限定しない。
【００２０】
放射面温度決定手段２２は、コントローラ１３により設定された室内環境に基づき放射手段１２の放射面温度を自動的に決定する。
【００２１】
空調システム室外機１４は、室内空調手段１１および放射手段１２の室外機であり、室内空調手段１１と放射手段１２に対してそれぞれ専用の室外機を有するなど、その個数なども何ら限定しない。
【００２２】
また、室内空調手段１１および放射手段１２は天井裏１６に設置され、放射手段１２の放射面１２１は天井１７の一部である。コントローラ１３は使用者が使いやすいよう室内１５にある。
【００２３】
使用者はコントローラ１３を用いて、室内１５が快適になるよう好みの室内環境を設定する。例えば空調システムの運転開始時に、使用者の好みの室内環境が「涼しく」で開始されたとすると、室内空調手段１１は、図２および図３の室内空調手段における気流経路３１に示すよう、室内空調用室内機１１１で冷やされた空気が室内空調用ダクト１１２を通り、室内吹出部１１３から室内１５に冷風として吹き出され、さらに、室内吸い込み部１１４で再び吸い込まれ、室内を「涼しく」なるよう運転する。「涼しく」は室内温度で２７℃くらいとする。
【００２４】
放射面温度決定手段２２は、コントローラ１３により設定された室内環境が「涼しく」の場合は、放射手段１２の放射面温度を自動的に２０℃と決定する。
【００２５】
また、放射手段１２では、図２および図３の放射手段における気流経路３２に示すよう、放射用室内機１２３で冷やされた空気が放射用ダクト１２４、天井循環流路吹出部１２５、天井循環流路１２２を通り、放射面１２１を冷やし、さらに、天井循環流路吸込部１２６で再び吸い込まれ、例えば放射面が冷放射を感じる２０℃になるよう運転する。
【００２６】
ここで、室内の快適性について説明する。室内の快適性は、例えばＰＭＶやＳＥＴ＊などに示されているように、環境要因として、室温、湿度、気流、放射で左右される。例えば、夏季、湿度と気流が同じでも、室温２７℃、放射２７℃、の環境と、室温２７℃、放射２０℃では、後者のほうが寒く感じるため、同じ快適感にするには、例えば室温２８℃、放射２０℃にする必要がある。すなわち、使用者の好みの室内温度のままでは寒く感じるため、室内温度を＋１℃補正した２８℃にする必要がある。
【００２７】
そこで、室内設定環境補正手段１８では、放射面が２０℃の温度に到達したとき、室内空調手段１１の設定温度を＋１℃補正した２８℃にする。
【００２８】
時間が経過し、室内が２８℃に到達すると、室内空調手段１１は運転を停止する、または、気流感が少なくなるよう風量を微風にしたり、風向を使用者から避けるよう制御する。
【００２９】
なお、運転開始時「涼しく」について説明したが、「暖かく」について同様である。
【００３０】
例えば空調システムの運転開始時に、使用者の好みの室内環境が「暖かく」とすると、室内空調手段１１は、図２および図３の室内空調手段における気流経路３１に示すよう、室内空調用室内機１１１で暖められた空気が室内空調用ダクト１１２を通り、室内吹出部１１３から室内１５に温風として吹き出され、さらに、室内吸い込み部１１４で再び吸い込まれ、室内を２２℃になるよう運転する。「暖かく」は室内温度で２２℃くらいとする。
【００３１】
放射面温度決定手段２２は、コントローラ１３により設定された室内環境が「暖かく」の場合は、放射手段１２の放射面温度を自動的に３０℃と決定する。
【００３２】
また、放射手段１２では、図２および図３の放射手段における気流経路３２に示すよう、放射用室内機１２３で暖められた空気が放射用ダクト１２４、天井循環流路吹出部１２５、天井循環流路１２２を通り、放射面１２１を暖め、さらに、天井循環流路吸込部１２６で再び吸い込まれ、例えば放射面が温放射を感じる３０℃になるよう運転する。
【００３３】
室内１０℃から時間が経過し、室内が２２℃に到達すると、室内空調手段１１は運転を停止する、または、気流感が少なくなるよう風量を微風にしたり、風向を使用者から避けるよう制御する。
【００３４】
快適性についても同様であり、使用者の好みの室内温度のままでは暑く感じるため、室内温度を−２℃補正した２０℃にする必要がある。
【００３５】
そこで、室内設定環境補正手段１８では、放射面が３０℃の温度に到達したとき、室内空調手段１１の設定温度を−２℃補正した２０℃にする。
【００３６】
なお、補正量は上記で限定するものではない。
【００３７】
上記のように運転することにより、室内を短時間で快適にするとともに快適な放射感を得ることができる。また、室内の放射状態から、より快適な室内環境に補正するとともにより快適な放射環境を自動的につくることができる。すなわち、気流感の少ない放射の快適環境を短時間で得るとともに、より快適な放射環境を使用者がわずらわしい操作をすることなく得ることができる。
【００３８】
また、室内を短時間で快適な環境にするとともに、より不快な気流を抑制することがで
きる。これにより、室内を短時間で快適な環境にするとともに、より不快な気流を抑制することができる。また、室内の放射状態から、より快適な室内環境に補正するとともにより快適な放射環境を自動的につくることができる。すなわち、より気流感の少ないより快適な放射環境を使用者がわずらわしい操作をすることなく得ることができる。
【００３９】
次に、図４は、本発明の第１の実施の形態における放射手段の水分の流れ概略図を示すものである。
【００４０】
放射手段１２は、ダクトエアコンのように温冷風を吹き出し、天井面を暖めたり冷やしたりするものである。また、放射面１２１に透湿性材料を用いる。
【００４１】
放射手段１２が冷房運転を行うと、放射手段における気流経路３２の空気は放射用室内機１２３内部の熱交換器で冷やされ結露し、ドレン水として室外に排出される。その結果、天井循環流路１２２の水蒸気圧は、室内１５の水蒸気圧より低くなり、室内１５の水分含んだ空気は透湿性材料の放射面１２１を通過し、天井循環流路１２２に移動する。さらに、天井循環流路１２２に移動した水分４０は、同じように放射用室内機１２３内部の熱交換器で冷やされ結露し、ドレン水として室外に排出される。これらが繰り返され、室内１５の空気中の水分は室外に排出され、これにより、冷房時、放射運転のみでも、室内の湿度を下げることができる。また、室内の放射状態から、より快適な室内環境に補正するとともにより快適な放射環境を自動的につくることができる。
【００４２】
すなわち、冷房時、湿度の低いさわやかなさらに快適な放射環境を使用者がわずらわしい操作をすることなく得ることができる。
【００４３】
次に、室内の快適性についてさらに説明する。例えば、夏季、気流と放射が同じでも、例えば室温２８℃、湿度６０％、放射２０℃、気流０．３m/sの環境と室温２８℃、湿度４０％、放射２０℃、気流０．３m/sでは、後者のほうが寒く感じるため、同じ快適感にするには、例えば室温２８．５℃、湿度４０％、放射２０℃、気流０．３m/sにする必要がある。すなわち、使用者の好みの室内温度のままでは寒く感じるため、室内温度をさらに＋０．５℃補正した２８．５℃にする必要がある。
【００４４】
また、外気温が高い場合では、放射手段１２で制御された放射面以外の温度が高くなり、その分、室内温度を若干下げる必要がある。逆に外気温が低い場合では、放射手段１２で制御された放射面以外の温度が低くなり、その分、室内温度を若干上げる必要がある。
【００４５】
そこで、室内設定環境快適補正手段１９では、湿度センサなど室内の湿度を検出する湿度検出手段２０と、外気温センサなど外気温検出手段２１とから検出された湿度や外気温のうち、少なくともひとつ以上から室内設定環境を使用者の好みの設定環境から補正する。
【００４６】
これにより、室内を短時間で快適にするとともに快適な放射感を得ることができる。また、室内の放射状態、湿度、外気温から、一層快適な室内温度に補正することができる。また、室内の放射状態から、より快適な室内環境に補正するとともにより快適な放射環境を自動的につくることができる。すなわち、気流感の少ない放射の快適環境を短時間で得るとともに、一層快適な放射環境を使用者がわずらわしい操作をすることなく得ることができる。
【産業上の利用可能性】
【００４７】
以上のように、本発明にかかる空調システムは、放射によって快適な室内環境をつくることが可能となるので、一般住宅のみならず、非住宅などにも適用できる。また、冷房の
みならず暖房などにも適用できる。また、放射面は天井のみならず、壁面や床面などの壁面放射や床面放射等の用途にも適用できる。
【図面の簡単な説明】
【００４８】
【図１】本発明の実施の形態１における空調システムの斜視図
【図２】本発明の実施の形態１における空調システムの斜視図
【図３】本発明の実施の形態１における室内空調手段および放射手段の気流の経路概略図
【図４】本発明の実施の形態１における放射手段の水分の流れ概略図
【図５】従来の放射冷暖房装置の概略図
【図６】従来の空調システムの概略図
【符号の説明】
【００４９】
１１  空調手段
１２  放射手段
１３  コントローラ
１４  空調システム室外機
１５  室内
１６  天井裏
１７  天井
１８  室内設定環境補正手段
１９  室内設定環境快適補正手段
２０  湿度検出手段
２１  外気温検出手段
２２  放射面温度決定手段
１１１  室内空調用室内機
１１２  空調用ダクト
１１３  室内吹出部
１１４  室内吸込部
１２１  放射面
１２２  天井循環流路
１２３  放射用室内機
１２４  放射用ダクト
１２５  天井循環流路吹出部
１２６  天井循環流路吸込部
３１  室内空調手段における気流経路
３２  放射手段における気流経路
４０  水分
５１  熱交換パイプ
６１  天井放射パネル
６１ａ  小孔
６２  空調機
Ａ  室内空間
【図１】
2007315691.tif 000003
【図２】
2007315691.tif 000004
【図３】
2007315691.tif 000005
【図４】
2007315691.tif 000006
【図５】
2007315691.tif 000007
【図６】
2007315691.tif 000008